(57)【特許請求の範囲】
【請求項１】
本体ケーシング（１）内に配設された軸流ファン（２）の吹出側に、多数の横桟（１０），（１０）・・と該横桟（１０），（１０）・・を連結する縦桟（１１），（１１）・・とからなる吹出グリル（９）を備えた空気調和機用室外機であって、前記各横桟（１０）を、前記軸流ファン（９）の回転方向（Ｍ）に関して一端側と他端側とで反対の傾きとなるように構成し且つ等間隔で配置するとともに、前記各横桟（１０）における両端側の傾斜角度（θ）と、前記軸流ファンの羽根出口角度（α）との関係を、α−３０≦θ≦αとなるように設定したことを特徴とする空気調和機用室外機。
【請求項２】
前記各横桟（１０）を、該横桟（１０）の断面における最大直線長さを桟断面軸（Ｏ）としたとき該桟断面軸（Ｏ）に対して対称となる形状としたことを特徴とする請求項１記載の空気調和機用室外機。
【請求項３】
前記各横桟（１０）における傾斜角度（θ）を、一端側から他端側にかけて連続して変化させたことを特徴とする請求項１および２のいずれか一項記載の空気調和機用室外機。
【請求項４】
前記各横桟（１０）における傾斜角度（θ）を、一端側から他端側にかけて段階的に変化させたことを特徴とする請求項１および２のいずれか一項記載の空気調和機用室外機。
【請求項５】
本体ケーシング（１）内に配設された軸流ファン（２）の吹出側に、多数の横桟（１０），（１０）・・と該横桟（１０），（１０）・・を連結する縦桟（１１），（１１）・・とからなる吹出グリル（９）を備えた空気調和機用室外機であって、前記各横桟（１０）を、前記軸流ファン（９）の回転方向（Ｍ）に関して一端側と他端側とで反対の傾きとなるように構成し且つ等間隔で配置するとともに、前記各横桟（１０）を、一端側および他端側より中央部の方が吹出側に突出する形状としたことを特徴とする空気調和機用室外機。
【請求項６】
前記各横桟（１０）における両端側の傾斜角度（θ）と、前記軸流ファンの羽根出口角度（α）との関係を、α−３０≦θ≦αとなるように設定したことを特徴とする請求項５記載の空気調和機用室外機。
【請求項７】
前記各横桟（１０）を、該横桟（１０）の断面における最大直線長さを桟断面軸（Ｏ）としたとき該桟断面軸（Ｏ）に対して対称となる形状としたことを特徴とする請求項５および６のいずれか一項記載の空気調和機用室外機。
【請求項８】
前記各横桟（１０）における傾斜角度（θ）を、一端側から他端側にかけて連続して変化させたことを特徴とする請求項５、６および７のいずれか一項記載の空気調和機用室外機。
【請求項９】
前記各横桟（１０）における傾斜角度（θ）を、一端側から他端側にかけて段階的に変化させたことを特徴とする請求項５、６および７のいずれか一項記載の空気調和機用室外機。
【請求項１０】
前記各横桟（１０）を、一端側から他端側にかけてＳ字状に湾曲した形状としたことを特徴とする請求項１、２、３、４、５、６、７、８および９のいずれか一項記載の空気調和機用室外機。
【請求項１１】
前記吹出グリル（９）を、合成樹脂の一体成形品により構成したことを特徴とする請求項１、２、３、４、５、６、７、８、９および１０のいずれか一項記載の空気調和機用室外機。
【請求項１２】
前記吹出グリル（９）を、前記本体ケーシング（１）と一体形成したことを特徴とする請求項１１記載の空気調和機用室外機。
【請求項１３】
前記横桟（１０），（１０）・・のうち選ばれたものの桟厚さを大きくしたことを特徴とする請求項１、２、３、４、５、６、７、８、９、１０、１１および１２のいずれか一項記載の空気調和機用室外機。
【発明の詳細な説明】
【技術分野】
【０００１】
本願発明は、空気調和機用室外機に関し、さらに詳しくは、空気調和機用室外機における吹出グリルの構造に関するものである。
【背景技術】
【０００２】
本体ケーシング内に配設された軸流ファンの吹出側に、多数の横桟と該横桟を連結する縦桟とからなる吹出グリルを備えた空気調和機用室外機は、従来からよく知られているが、軸流ファンから吹き出される吹出空気流は、旋回成分を有しているところから、単なる横桟と縦桟との組み合わせでは、空気流と桟との干渉による騒音や損失が大きいという問題がある。
【０００３】
上記問題に対処するために、吹出グリルの下流側に配置する導風装置において、該導風装置における導風板（横桟に相当）を、一端側から他端側にかけて逆方向に反り返る円弧形状としたものが提案されている（特許文献１参照）。
【０００４】
【特許文献１】特開平５−２６４０７０号公報。
【発明の開示】
【発明が解決しようとする課題】
【０００５】
ところが、上記特許文献１に開示されている技術の場合、吹出グリルの前面に配置して、吹出空気流を所定の方向に誘導するために用いられる導風装置に関するものであり、導風板同士の間隔を大きくしても差し支えないが、当該技術を吹出グリルに適用しようとすると、指入れ防止の観点から横桟の間隔を狭くせざるを得ない。すると、横桟を断面円弧形状としているため、吹出流れが急激に曲げられることとなり、途中で剥離が生じ、有効流路面積が減少し、通風抵抗が大きくなり易いという不具合が発生するおそれがある。
【０００６】
本願発明は、上記の点に鑑みてなされたもので、通風抵抗低減と異物侵入抑制とを両立させることにより、ファン入力の低減と騒音の低減とを可能ならしめることを目的としている。
【課題を解決するための手段】
【０００７】
本願発明では、上記課題を解決するための第１の手段として、本体ケーシング１内に配設された軸流ファン２の吹出側に、多数の横桟１０，１０・・と該横桟１０，１０・・を連結する縦桟１１，１１・・とからなる吹出グリル９を備えた空気調和機用室外機において、前記各横桟１０を、前記軸流ファン２の回転方向Ｍに関して一端側と他端側とで反対の傾きとなるように構成し且つ等間隔で配置するとともに、前記各横桟１０における両端側の傾斜角度θと、前記軸流ファンの羽根出口角度αとの関係を、α−３０≦θ≦αとなるように設定している。
【０００８】
上記のように構成したことにより、空気調和機用室外機の運転中において、軸流ファン２から吹き出される旋回成分を有する空気流Ｗが、軸流ファン２の回転方向Ｍに関して一端側と他端側とで反対の傾きとされている横桟１０，１０・・を通過する際の通風抵抗が大幅に低減されることとなる。従って、横桟１０，１０・・の間隔を異物侵入を抑制し得る程度の狭さとしても、通風抵抗低減効果を確保できることとなり、ファン入力の低減と騒音の低減とを図ることができる。しかも、各横桟１０における両端側の傾斜角度θと、前記軸流ファン２の羽根出口角度αとの関係を、α−３０≦θ≦αとなるように設定したことにより、通風抵抗低減効果と、外部から回転軸方向に力が加わったときの変形を小さく抑える効果とが効果的に両立できる。なお、θ＞αとなると、外部から回転軸方向に力が加わったときに変形し易くなり、軸流ファン２と横桟１０，１０・・とが干渉するおそれがあり、θ＜α−３０となると、傾斜角度が小さくなり、通風抵抗低減効果が小さくなる。
【０００９】
本願発明では、さらに、上記課題を解決するための第２の手段として、上記第１の手段を備えた空気調和機用室外機において、前記各横桟１０を、該横桟１０の断面における最大直線長さを桟断面軸Ｏとしたとき該桟断面軸Ｏに対して対称となる形状とすることもでき、そのように構成した場合、断面円弧形状のものに比べて吹出空気流の剥離を小さく抑えることができるところから、有効流路面積が大きくなり、通風抵抗低減効果が増大する。
【００１０】
本願発明では、さらに、上記課題を解決するための第３の手段として、上記第１又は第２の手段を備えた空気調和機用室外機において、前記各横桟１０における傾斜角度θを、一端側から他端側にかけて連続して変化させることもでき、そのように構成した場合、軸流ファン２からの吹出空気流Ｗの風速分布に対応させ易くなるところから、通風抵抗低減効果がより増大する。
【００１１】
本願発明では、さらに、上記課題を解決するための第４の手段として、上記第１又は第２の手段を備えた空気調和機用室外機において、前記各横桟１０における傾斜角度θを、一端側から他端側にかけて段階的に変化させることもでき、そのように構成した場合、吹出グリル２を板金製としても、軸流ファン２からの吹出空気流Ｗの風速分布に対応させることが容易に可能となる。
【００１２】
本願発明では、上記課題を解決するための第５の手段として、本体ケーシング１内に配設された軸流ファン２の吹出側に、多数の横桟１０，１０・・と該横桟１０，１０・・を連結する縦桟１１，１１・・とからなる吹出グリル９を備えた空気調和機用室外機において、前記各横桟１０を、前記軸流ファン９の回転方向Ｍに関して一端側と他端側とで反対の傾きとなるように構成し且つ等間隔で配置するとともに、前記各横桟１０を、一端側および他端側より中央部の方が吹出側に突出する形状としている。
【００１３】
上記のように構成したことにより、空気調和機用室外機の運転中において、軸流ファン２から吹き出される旋回成分を有する空気流Ｗが、軸流ファン２の回転方向Ｍに関して一端側と他端側とで反対の傾きとされている横桟１０，１０・・を通過する際の通風抵抗が大幅に低減されることとなる。従って、横桟１０，１０・・の間隔を異物侵入を抑制し得る程度の狭さとしても、通風抵抗低減効果を確保できることとなり、ファン入力の低減と騒音の低減とを図ることができる。しかも、横桟１０を、軸流ファン２の回転方向Ｍに関して一端側と他端側とで反対の傾きとなるように構成したとき、各横桟１０の中央部に対して外部から回転軸方向に力が加わったときのたわみ変形量が大きくなる傾向にあるが、各横桟１０を、一端側および他端側より中央部の方が吹出側に突出する形状としているので、各横桟１０の強度劣化を補うことができることとなり、強度同等でねじりによる通風抵抗低減効果が得られる。
【００１４】
本願発明では、さらに、上記課題を解決するための第６の手段として、上記第５の手段を備えた空気調和機用室外機において、前記各横桟１０における両端側の傾斜角度θと、前記軸流ファン２の羽根出口角度αとの関係を、α−３０≦θ≦αとなるように設定することもでき、そのように構成した場合、通風抵抗低減効果と、外部から回転軸方向に力が加わったときの変形を小さく抑える効果とが効果的に両立できる。なお、θ＞αとなると、外部から回転軸方向に力が加わったときに変形し易くなり、軸流ファン２と横桟１０，１０・・とが干渉するおそれがあり、θ＜α−３０となると、傾斜角度が小さくなり、通風抵抗低減効果が小さくなる。
【００１５】
本願発明では、さらに、上記課題を解決するための第７の手段として、上記第５又は第６の手段を備えた空気調和機用室外機において、前記各横桟１０を、該横桟１０の断面における最大直線長さを桟断面軸Ｏとしたとき該桟断面軸Ｏに対して対称となる形状とすることもでき、そのように構成した場合、断面円弧形状のものに比べて吹出空気流の剥離を小さく抑えることができるところから、有効流路面積が大きくなり、通風抵抗低減効果が増大する。
【００１６】
本願発明では、さらに、上記課題を解決するための第８の手段として、上記第５、第６又は第７の手段を備えた空気調和機用室外機において、前記各横桟１０における傾斜角度θを、一端側から他端側にかけて連続して変化させることもでき、そのように構成した場合、軸流ファン２からの吹出空気流Ｗの風速分布に対応させ易くなるところから、通風抵抗低減効果がより増大する。
【００１７】
本願発明では、さらに、上記課題を解決するための第９の手段として、上記第５、第６又は第７の手段を備えた空気調和機用室外機において、前記各横桟１０における傾斜角度θを、一端側から他端側にかけて段階的に変化させることもでき、そのように構成した場合、吹出グリル２を板金製としても、軸流ファン２からの吹出空気流Ｗの風速分布に対応させることが容易に可能となる。
【００１８】
本願発明では、さらに、上記課題を解決するための第１０の手段として、上記第１、第２、第３、第４、第５、第６、第７、第８又は第９の手段を備えた空気調和機用室外機において、前記各横桟１０を、一端側から他端側にかけてＳ字状に湾曲した形状とすることもでき、そのように構成した場合、吹出グリル９の上部および下部において、吹出空気流Ｗが軸流ファン２の回転方向Ｍよりもやや外向き成分をもつ場合に、吹出空気流Ｗと横桟１０，１０・・との干渉が少なくなり、上下部においても通風抵抗の低減が可能となる。
【００１９】
本願発明では、さらに、上記課題を解決するための第１１の手段として、上記第１、第２、第３、第４、第５、第６、第７、第８、第９又は第１０の手段を備えた空気調和機用室外機において、前記吹出グリル９を、合成樹脂の一体成形品により構成することもでき、そのように構成した場合、吹出グリル９の成形コストを低減できる。
【００２０】
本願発明では、さらに、上記課題を解決するための第１２の手段として、上記第１１の手段を備えた空気調和機用室外機において、前記吹出グリル９を、前記本体ケーシング１と一体成形することもでき、そのように構成した場合、吹出グリル９と本体ケーシング１とを同時成形できることとなり、製造コストをさらに低減できる。
【００２１】
本願発明では、さらに、上記課題を解決するための第１３の手段として、上記第１、第２、第３、第４、第５、第６、第７、第８、第９、第１０、第１１又は第１２の手段を備えた空気調和機用室外機において、前記横桟１０，１０・・のうち選ばれたものの桟厚さを大きくすることもでき、そのように構成した場合、各横桟１０を、軸流ファン２の回転方向Ｍに関して一端側と他端側とで反対の傾きとなるように構成したとき、各横桟１０の中央部に対して外部から回転軸方向に力が加わったときのたわみ変形量が大きくなる傾向にあるが、横桟１０，１０・・のうち選ばれたものの桟厚さを大きくしているので、吹出グリル９の強度劣化を補うことができる。
【発明の効果】
【００２２】
本願発明の第１の手段によれば、本体ケーシング１内に配設された軸流ファン２の吹出側に、多数の横桟１０，１０・・と該横桟１０，１０・・を連結する縦桟１１，１１・・とからなる吹出グリル９を備えた空気調和機用室外機において、前記各横桟１０を、前記軸流ファン２の回転方向Ｍに関して一端側と他端側とで反対の傾きとなるように構成し且つ等間隔で配置して、空気調和機用室外機の運転中において、軸流ファン２から吹き出される旋回成分を有する空気流Ｗが、軸流ファン２の回転方向Ｍに関して一端側と他端側とで反対の傾きとされている横桟１０，１０・・を通過する際の通風抵抗が大幅に低減されるようにしたので、横桟１０，１０・・の間隔を異物侵入を抑制し得る程度の狭さとしても、通風抵抗低減効果を確保できることとなり、ファン入力の低減と騒音の低減とを図ることができるという効果がある。しかも、各横桟１０における両端側の傾斜角度θと、前記軸流ファン２の羽根出口角度αとの関係を、α−３０≦θ≦αとなるように設定したことにより、通風抵抗低減効果と、外部から回転軸方向に力が加わったときの変形を小さく抑える効果とが効果的に両立できるという効果もある。
【００２３】
本願発明の第２の手段におけるように、上記第１の手段を備えた空気調和機用室外機において、前記各横桟１０を、該横桟１０の断面における最大直線長さを桟断面軸Ｏとしたとき該桟断面軸Ｏに対して対称となる形状とすることもでき、そのように構成した場合、断面円弧形状のものに比べて吹出空気流の剥離を小さく抑えることができるところから、有効流路面積が大きくなり、通風抵抗低減効果が増大する。
【００２４】
本願発明の第３の手段におけるように、上記第１又は第２の手段を備えた空気調和機用室外機において、前記各横桟１０における傾斜角度θを、一端側から他端側にかけて連続して変化させることもでき、そのように構成した場合、軸流ファン２からの吹出空気流Ｗの風速分布に対応させ易くなるところから、通風抵抗低減効果がより増大する。
【００２５】
本願発明の第４の手段におけるように、上記第１又は第２の手段を備えた空気調和機用室外機において、前記各横桟１０における傾斜角度θを、一端側から他端側にかけて段階的に変化させることもでき、そのように構成した場合、吹出グリル９を板金製としても、軸流ファン２からの吹出空気流Ｗの風速分布に対応させることが可能となる。
【００２６】
本願発明の第７によれば、本体ケーシング１内に配設された軸流ファン２の吹出側に、多数の横桟１０，１０・・と該横桟１０，１０・・を連結する縦桟１１，１１・・とからなる吹出グリル９を備えた空気調和機用室外機において、前記各横桟１０を、前記軸流ファン９の回転方向Ｍに関して一端側と他端側とで反対の傾きとなるように構成し且つ等間隔で配置するとともに、前記各横桟１０を、一端側および他端側より中央部の方が吹出側に突出する形状として、空気調和機用室外機の運転中において、軸流ファン２から吹き出される旋回成分を有する空気流Ｗが、軸流ファン２の回転方向Ｍに関して一端側と他端側とで反対の傾きとされている横桟１０，１０・・を通過する際の通風抵抗が大幅に低減されることとなり、横桟１０，１０・・の間隔を異物侵入を抑制し得る程度の狭さとしても、通風抵抗低減効果を確保できることとなり、ファン入力の低減と騒音の低減とを図ることができるという効果がある。しかも、横桟１０を、軸流ファン２の回転方向Ｍに関して一端側と他端側とで反対の傾きとなるように構成したとき、各横桟１０の中央部に対して外部から回転軸方向に力が加わったときのたわみ変形量が大きくなる傾向にあるが、各横桟１０を、一端側および他端側より中央部の方が吹出側に突出する形状としているので、各横桟１０の強度劣化を補うことができることとなり、強度同等でねじりによる通風抵抗低減効果が得られるという効果もある。
【００２７】
本願発明の第６の手段におけるように、上記第５の手段を備えた空気調和機用室外機において、前記各横桟１０における両端側の傾斜角度θと、前記軸流ファン２の羽根出口角度αとの関係を、α−３０≦θ≦αとなるように設定することもでき、そのように構成した場合、通風抵抗低減効果と、外部から回転軸方向に力が加わったときの変形を小さく抑える効果とが効果的に両立できる。
【００２８】
本願発明の第７の手段におけるように、上記第５又は第６の手段を備えた空気調和機用室外機において、前記各横桟１０を、該横桟１０の断面における最大直線長さを桟断面軸Ｏとしたとき該桟断面軸Ｏに対して対称となる形状とすることもでき、そのように構成した場合、断面円弧形状のものに比べて吹出空気流の剥離を小さく抑えることができるところから、有効流路面積が大きくなり、通風抵抗低減効果が増大する。
【００２９】
本願発明の第８の手段におけるように、上記第５、第６又は第７の手段を備えた空気調和機用室外機において、前記各横桟１０における傾斜角度θを、一端側から他端側にかけて連続して変化させることもでき、そのように構成した場合、軸流ファン２からの吹出空気流Ｗの風速分布に対応させ易くなるところから、通風抵抗低減効果がより増大する。
【００３０】
本願発明の第９の手段におけるように、上記第５、第６又は第７の手段を備えた空気調和機用室外機において、前記各横桟１０における傾斜角度θを、一端側から他端側にかけて段階的に変化させることもでき、そのように構成した場合、吹出グリル２を板金製としても、軸流ファン２からの吹出空気流Ｗの風速分布に対応させることが容易に可能となる。
【００３１】
本願発明の第１０の手段におけるように、上記第１、第２、第３、第４、第５、第６、第７、第８又は第９の手段を備えた空気調和機用室外機において、前記各横桟１０を、一端側から他端側にかけてＳ字状に湾曲した形状とすることもでき、そのように構成した場合、吹出グリル９の上部および下部において、吹出空気流Ｗが軸流ファン２の回転方向Ｍよりもやや外向き成分をもつ場合に、吹出空気流Ｗと横桟１０，１０・・との干渉が少なくなり、上下部においても通風抵抗の低減が可能となる。
【００３２】
本願発明の第１１の手段におけるように、上記第１、第２、第３、第４、第５、第６、第７、第８、第９又は第１０の手段を備えた空気調和機用室外機において、前記吹出グリル９を、合成樹脂の一体成形品により構成することもでき、そのように構成した場合、吹出グリル９の成形コストを低減できる。
【００３３】
本願発明の第１２の手段におけるように、上記第１１の手段を備えた空気調和機用室外機において、前記吹出グリル９を、前記本体ケーシング１と一体成形することもでき、そのように構成した場合、吹出グリル９と本体ケーシング１とを同時成形できることとなり、製造コストをさらに低減できる。
【００３４】
本願発明の第１３の手段におけるように、上記第１、第２、第３、第４、第５、第６、第７、第８、第９、第１０、第１１又は第１２の手段を備えた空気調和機用室外機において、前記横桟１０，１０・・のうち選ばれたものの桟厚さを大きくすることもでき、そのように構成した場合、各横桟１０を、軸流ファン２の回転方向Ｍに関して一端側と他端側とで反対の傾きとなるように構成したとき、各横桟１０の中央部に対して外部から回転軸方向に力が加わったときのたわみ変形量が大きくなる傾向にあるが、横桟１０，１０・・のうち選ばれたものの桟厚さを大きくしているので、吹出グリル９の強度劣化を補うことができる。
【発明を実施するための最良の形態】
【００３５】
以下、添付の図面を参照して、本願発明の幾つかの好適な実施の形態について説明する。
【００３６】
第１の実施の形態
図１ないし図９には、本願発明の第１の実施の形態にかかる空気調和機用室外機が示されている。
【００３７】
この空気調和機用室外機は、図１および図２に示すように、仕切り板５により機械室６と熱交換室７とに区画された横断面直方体形状の本体ケーシング１と、該本体ケーシング１における熱交換室７に配設された軸流ファン２と、該軸流ファン２の上流側であって前記本体ケーシング１におけるケーシング前板１ａを除く二側面に形成された空気吸込口３，３に対向する横断面Ｌ字形状の熱交換器４とを備えて構成されている。符号８は本体ケーシング１における機械室６に配設された圧縮機である。
【００３８】
前記本体ケーシング１における前記軸流ファン２の吹出側には、多数の横桟１０，１０・・と該横桟１０，１０・・を連結する縦桟１１，１１・・とからなる吹出グリル９が設けられている。本実施の形態における吹出グリル９の場合、図３に示すように、横桟１０，１０・・は、指入れを防止できる間隔で配置されており、吹出グリル９の主要部を構成し、縦桟１１，１１・・は、横桟１０，１０・・を連結するためだけに用いられている。また、本実施の形態においては、本体ケーシング１の前板１ａと吹出グリル９とは、合成樹脂の一体成形品により構成されている。このようにすると、吹出グリル９と本体ケーシング１とを同時成形できることとなり、製造コストを低減できる。なお、本体ケーシング１の前板１ａおよび吹出グリル９を板金製とすることもできる。
【００３９】
前記各横桟１０は、前記軸流ファン２の回転方向Ｍに関して一端側と他端側とで反対の傾きとなるように構成され且つ等間隔で配置されている。即ち、本実施の形態においては、図４に示すように、各横桟１０の一端側が矢印Ｎ1で示す方向に傾斜角度＋θ°だけひねられ、各横桟１０の他端側が矢印Ｎ2で示す方向に傾斜角度−θ°だけひねられており、各横桟１０の中央部の傾斜角度は０°とされている。つまり、本実施の形態においては、前記各横桟１０における傾斜角度θは、一端側から他端側にかけて連続して変化せしめられているのである。
【００４０】
上記のように構成したことにより、室外機の運転中において、軸流ファン２から吹き出される旋回成分を有する空気流Ｗが、軸流ファン２の回転方向Ｍに関して一端側と他端側とで反対の傾きとされている横桟１０，１０・・を通過する際の通風抵抗が大幅に低減されることとなる。従って、横桟１０，１０・・の間隔を異物侵入を抑制し得る程度の狭さとしても、通風抵抗低減効果を確保できることとなり、ファン入力の低減と騒音の低減とを図ることができる。また、各横桟１０における傾斜角度θを、一端側から他端側にかけて連続して変化せしめるようにした場合、軸流ファン２からの吹出空気流Ｗの風速分布に対応させ易くなるところから、通風抵抗低減効果がより増大する。
【００４１】
また、各横桟１０は、図５に示すように、該横桟１０の断面における最大直線長さを桟断面軸Ｏとしたとき該桟断面軸Ｏに対して対称となる形状とされている。このようにすると、断面円弧形状のものに比べて吹出空気流の剥離を小さく抑えることができるところから、有効流路面積が大きくなり、通風抵抗低減効果が増大する。なお、各横桟１０の断面形状を、矩形断面の長辺側片側に肉盛りした形状とすることもできる。このようにすると、円弧形状のように急激に流れを曲げることなく、肉厚アップによる強度向上を図ることができる。
【００４２】
ところで、上記構成の吹出グリル９について、横桟１０，１０・・のねじり角度（即ち、傾斜角度θ）に対する横桟１０，１０・・の変位と軸流ファン２のファンモータ入力との変化を調べたところ、図１０に示す結果が得られた。
【００４３】
上記結果によれば、横桟１０，１０・・の変位は、ねじり角度（即ち、傾斜角度θ）が大きくなるにしたがって増大し、通風抵抗の低減によるファンモータ入力の低減は、ねじり角度（即ち、傾斜角度θ）が１５°〜４０°において効果が大きくなっていることが分かる。従って、強度劣化も考慮すると、ねじり角度（即ち、傾斜角度θ）は、２５°以下とするのが望ましい。
【００４４】
また、上記構成の吹出グリル９について、軸流ファン２の羽根出口角度α（図７参照）と横桟１０，１０・・のねじり角度（即ち、傾斜角度θ）との差に対するファンモータ入力の変化を調べたところ、図１１の結果が得られた。
【００４５】
上記結果によれば、ねじり角度（即ち、傾斜角度θ）がα−３０〜α−（−５）付近でファンモータ入力低減効果が得られることが分かる。つまり、各横桟１０における両端側の最大傾斜角度θと、軸流ファン２の出口角度αとの関係を、α−３０≦θ≦αとなるように設定するのが望ましいことが分かるのである。このようにすると、通風抵抗低減効果と、外部から回転軸方向に力が加わったときの変形を小さく抑える効果とが効果的に両立できる。特に、ねじり角度（即ち、傾斜角度θ）がα−２０〜α−５付近においてより大きなファンモータ入力低減効果が得られることが分かる。
【００４６】
また、本実施の形態においては、前記吹出グリル９を構成する各横桟１０は、図８（イ）および（ロ）に示すように、左右端部よりも中央付近の方が吹出側に位置するように構成されている。例えば、図８（イ）の場合、各横桟１０の左右端部１０ａ，１０ａは外向き（即ち、吹出側）に傾斜する形状とされ且つ中央部１０ｂは曲率半径の大きな円弧形状とされており、図８（ロ）の場合、各横桟１０の左右端部１０ａ，１０ａは外向き（即ち、吹出側）に傾斜する形状とされ且つ中央部１０ｂは直線形状とされている。このようにすると、各横桟１０が上述したようにねじられていると、吹出グリル９の中央部に対して軸流ファン２の回転軸方向への力が加わったときのたわみ変形量が大きくなる（強度が劣化する）傾向にある（例えば、ねじり角度２０°〜３０°でたわみ変形量は５〜１０％大きくなる）が、図８（イ）および（ロ）に示すように、各横桟１０の中央部を吹出側に膨らますことにより、各横桟１０のねじりによる強度劣化を補うことが可能となり、強度同等でねじりによる通風抵抗低減効果が得られる。
【００４７】
また、上記吹出グリル９を構成する各横桟１０のねじり形状（換言すれば、傾斜形状）は、図９（イ）および（ロ）に示すように、各横桟１０の吹出側端部１０ｃを水平に維持しつつ左右端部をねじる（換言すれば、傾斜させる）ようにしてもよく、図９（ハ）および（ニ）に示すように、各横桟１０の断面中央１０ｄを水平に維持しつつ左右端部をねじる（換言すれば、傾斜させる）ようにしてもよい。ここで、符号１０ｅは各横桟１０のファン側端部である。前者の場合、図９（ロ）に示すように、吹出側端部１０ｃおよび断面中央１ｄがともに傾斜し、後者の場合、図９（ニ）に示すように、吹出側端部１０ｃおよびファン側端部１０ｅがともに傾斜することとなる。
【００４８】
第２の実施の形態
図１２には、本願発明の第２の実施の形態にかかる空気調和機用室外機における吹出グリルが示されている。
【００４９】
この場合、吹出グリル９を構成する横桟１０，１０・・は、一端側から他端側にかけてＳ字状に湾曲した形状とされている。このようにすると、吹出グリル９の上部および下部において、吹出空気流Ｗが軸流ファン２の回転方向よりもやや外向き成分をもつ場合に、吹出空気流Ｗと横桟１０，１０・・との干渉が少なくなり、上下部においても通風抵抗の低減が可能となる。なお、図示の場合、上下方向の中央部付近において横桟１０，１０・・が左斜め上向きとなっているが、上下方向の中央部付近において横桟１０，１０・・が水平になっていてもよい。要するに、横桟１０，１０・・は、一端側から他端側にかけて全体形状としてＳ字状に湾曲していればよい。
【００５０】
その他の構成および作用効果は、第１の実施の形態におけると同様なので説明を省略する。
【００５１】
第３の実施の形態
図１３には、本願発明の第３の実施の形態にかかる空気調和機用室外機における吹出グリルが示されている。
【００５２】
この場合、吹出グリル９を構成する横桟１０，１０・・のうち選ばれたもの（例えば、横桟１０Ａ，１０Ａ・・）の桟厚さが大きくされている。このようにすると、横桟１０，１０・・を、軸流ファン２の回転方向に関して一端側と他端側とで反対の傾きとなるように構成したとき、横桟１０，１０・・の中央部に対して外部から回転軸方向に力が加わったときのたわみ変形量が大きくなる傾向にあるが、横桟１０，１０・・のうち選ばれたものの桟厚さを大きくしているので、吹出グリル９の強度劣化を補うことができる。
【００５３】
その他の構成および作用効果は、第１の実施の形態におけると同様なので説明を省略する。
【００５４】
第４の実施の形態
図１４ないし図１６には、本願発明の第４の実施の形態にかかる空気調和機用室外機における吹出グリルが示されている。
【００５５】
この場合、吹出グリル９を構成する横桟１０，１０・・における傾斜角度θは、図１５に示すように、一端側から他端側にかけて縦桟１１，１１の間を１区間Ｘ1，Ｘ2，Ｘ3〜Ｘnとし、１区間の間では傾斜角度θを一定としつつ段階的に傾斜角度を−θ〜＋θへと変化させている。このようにすると、吹出グリル９を板金製としても、軸流ファン２からの吹出空気流の風速分布に対応させることが可能となる。なお、図１６に示すように、横桟１０，１０・・における傾斜角度θを、一端側から他端側にかけて縦桟１１，１１の間を１区間Ｘ1，Ｘ2，Ｘ3〜Ｘnとし、２区間の間では傾斜角度θを一定としつつ段階的に傾斜角度を−θ〜＋θへと変化させるようにしてもよい。
【００５６】
その他の構成および作用効果は、第１の実施の形態におけると同様なので説明を省略する。
【００５７】
第５の実施の形態
図１７および図１８には、本願発明の第５の実施の形態にかかる空気調和機用室外機が示されている。
【００５８】
この場合、空気調和機用室外機は、本体ケーシング１の上部に軸流ファン２を備えた上吹出タイプとされており、軸流ファン２の吹出側に設けられる吹出グリル９の横桟１０，１０・・は、本体ケーシング１の前板１ａ（電気箱１２が設けられている）に対して垂直とされている。なお、本実施の形態においては、前述の第３の実施の形態におけると同様に、横桟１０，１０・・のうち選ばれたもの（例えば、横桟１０Ａ，１０Ａ・・）の桟厚さが大きくされている。このようにすると、図１８に示すように、空気調和機用室外機を壁面Ｆに面して設置した場合であっても、吹出空気流Ｗが壁面Ｆに当たることがなくなる。
【００５９】
その他の構成および作用効果は、第１の実施の形態におけると同様なので説明を省略する。
【００６０】
本願発明は、上記各実施の形態に限定されることはなく、発明の要旨を逸脱しない範囲において適宜設計変更可能なことは勿論である。
【図面の簡単な説明】
【００６１】
【図１】本願発明の第１の実施の形態にかかる空気調和機用室外機の正面図である。
【図２】本願発明の第１の実施の形態にかかる空気調和機用室外機の横断平面図である。
【図３】本願発明の第１の実施の形態にかかる空気調和機用室外機における吹出グリル部分の一部を切除した拡大斜視図である。
【図４】本願発明の第１の実施の形態にかかる空気調和機用室外機における吹出グリルを構成する横桟の拡大斜視図である。
【図５】本願発明の第１の実施の形態にかかる空気調和機用室外機における吹出グリルを構成する横桟の拡大断面図である。
【図６】本願発明の第１の実施の形態にかかる空気調和機用室外機における吹出グリルの正面図である。
【図７】本願発明の第１の実施の形態にかかる空気調和機用室外機における吹出グリルの拡大断面図であり、（イ）はＡ−Ａ拡大断面図、（ロ）はＢ−Ｂ拡大断面図である。
【図８】本願発明の第１の実施の形態にかかる空気調和機用室外機における吹出グリルを構成する横桟の拡大平面図であり、（イ）は中央部が外向きに湾曲したもの、（ロ）は中央部が直線のものである。
【図９】本願発明の第１の実施の形態にかかる空気調和機用室外機における吹出グリルを構成する横桟のねじり状態を示し、（イ）は吹出側端部を水平としたものを示し、（ロ）は吹出側端部を水平としたものを模式的に示し、（ハ）は断面中央を水平としたものを示し、（ニ）は断面中央を水平としたものを模式的に示している。
【図１０】本願発明の第１の実施の形態にかかる空気調和機用室外機における吹出グリルを構成する横桟のねじり角度（換言すれば、傾斜角度）に対する横桟の変位およびファンモータ入力の変化を示す特性図である。
【図１１】本願発明の第１の実施の形態にかかる空気調和機用室外機における軸流ファンの羽根出口角度と吹出グリルを構成する横桟のねじり角度（換言すれば、傾斜角度）との差に対するファンモータ入力の変化を示す特性図である。
【図１２】本願発明の第２の実施の形態にかかる空気調和機用室外機における吹出グリルの拡大正面図である。
【図１３】本願発明の第３の実施の形態にかかる空気調和機用室外機における吹出グリルの拡大正面図である。
【図１４】本願発明の第４の実施の形態にかかる空気調和機用室外機における吹出グリルの拡大正面図である。
【図１５】本願発明の第４の実施の形態にかかる空気調和機用室外機における吹出グリルを構成する縦桟間の１区間毎の横桟の傾斜角度の変化を示す特性図である。
【図１６】本願発明の第４の実施の形態にかかる空気調和機用室外機における吹出グリルを構成する縦桟間の２区間毎の横桟の傾斜角度の変化を示す特性図である。
【図１７】本願発明の第５の実施の形態にかかる空気調和機用室外機の正面図である。
【図１８】本願発明の第５の実施の形態にかかる空気調和機用室外機の平面図である。
【符号の説明】
【００６２】
１は本体ケーシング
１ａはケーシング前板
２は軸流ファン
９は吹出グリル
１０，１０Ａは横桟
１１は縦桟
Ｏは桟断面軸
Ｍは回転方向
αは羽根出口角度
θは傾斜角度
【図１】
0004747822.tif 000002
【図２】
0004747822.tif 000003
【図３】
0004747822.tif 000004
【図４】
0004747822.tif 000005
【図５】
0004747822.tif 000006
【図６】
0004747822.tif 000007
【図７】
0004747822.tif 000008
【図８】
0004747822.tif 000009
【図９】
0004747822.tif 000010
【図１０】
0004747822.tif 000011
【図１１】
0004747822.tif 000012
【図１２】
0004747822.tif 000013
【図１３】
0004747822.tif 000014
【図１４】
0004747822.tif 000015
【図１５】
0004747822.tif 000016
【図１６】
0004747822.tif 000017
【図１７】
0004747822.tif 000018
【図１８】
0004747822.tif 000019